(57)【要約】【課題】照明器具等の電気器具の着脱を容易に行うことができるとともに、着脱を繰り返しても美観を損なうことがない電気器具取付け装置を提供する。【解決手段】絶縁体からなる基板３の両面に導電体からなる電極板４、５を積層してなるとともに、複数箇所に取付け孔６が貫通した状態で設けられ、かつ各電極板４、５が電源８に電気的に接続される取付け板２と、電気器具が着脱自在に取り付けられる電気器具取付け部１１と、電気器具取付け部１１に一体に設けられるとともに、取付け孔６内に挿脱可能な１つ又は２つ以上のピン部１５と、ピン部１５を取付け孔６内に挿入された状態に固定する固定手段２５と、ピン部１５に設けられ、ピン部１５が取付け孔６内に挿入された状態で電極板４、５と電気的に接続されるとともに、取り付けられた電気器具の電源が電気的に接続される給電部１７とからなるコネクタ１０とを備え、給電部１７に電気器具が電気的に接続される。【選択図】図２
2008235018.tif 000002
【特許請求の範囲】
【請求項１】
絶縁体からなる基板の両面に導電体からなる電極板を積層してなるとともに、複数箇所に取付け孔が貫通した状態で設けられ、かつ前記各電極板が電源に電気的に接続される取付け板と、
電気器具が着脱自在に取り付けられる電気器具取付け部と、該電気器具取付け部に一体に設けられるとともに、前記取付け孔内に挿脱可能な１つ又は２つ以上のピン部と、該ピン部を前記取付け孔内に挿入された状態に固定する固定手段と、前記ピン部に設けられ、前記ピン部が前記取付け孔内に挿入された状態で前記電極板と電気的に接続されるとともに、取り付けられた前記電気器具の電源が電気的に接続される給電部とからなるコネクタとを備え、
前記給電部に前記電気器具が電気的に接続されることを特徴とする電気器具取付け装置。
【請求項２】
前記給電部は、前記ピン部の径方向に弾性変形可能に構成され、外力が作用しない状態では、その最外径が前記取付け孔の内径より大きく、前記ピン部が前記取付け孔内に挿入されると、内径側へ弾性変形することでその弾性力により前記電極板に前記取付け孔の内面から圧接されることを特徴とする請求項１に記載の電気器具取り付け装置。
【請求項３】
前記固定手段は、前記ピン部及び前記電気器具取付け部を貫通して設けられる回転可能なロッドと、該ロッドと一体に回転することによって前記ピン部の上端面に重合した状態と、前記ピン部の外径側にせり出して前記取付け板の前記電極板の上面に係合する状態とを採り得る固定部と、該ロッドを回転させる操作部とを備えていることを特徴とする請求項１又は２に記載の電気器具取付け装置。
【請求項４】
前記固定部が前記電極板の上面に係合した状態に固定するロック手段を備えていることを特徴とする請求項３に記載の電気器具取付け装置。
【請求項５】
前記取付け板は、空間内の天井部、壁部、又は床部に設けられていることを特徴とする請求項１から４の何れかに記載の電気器具取付け装置。
【発明の詳細な説明】
【技術分野】
【０００１】
本発明は、電気器具取付け装置に関し、特に、空間（建物、自動車等の空間）内の天井部、壁部、床部等に照明器具等の電気器具を着脱自在に取り付けるのに有効な電気器具取付け装置に関する。
【背景技術】
【０００２】
一般に、建物の例えば天井部に照明器具を取り付ける場合には、予め、天井部のパネルの所定の位置に配線用孔を設け、この配線用孔から天井裏に敷設されている電線を引き出し、この引き出した電線に照明器具を電気的に接続することで、照明器具を取り付けている。
【０００３】
このような照明器具は、建物内のレイアウトの変更等によって他の位置に移動させる場合に、新たにパネルに配線用孔を設け、この配線用孔から天井裏に敷設されている電線を引き出し、この引き出した電線に取り外した照明器具を電気的に接続している。
【０００４】
このため、パネルに新たに配線用孔を設ける作業や、新たに設けた配線用孔から天井裏の電線を引き出す作業等の作業が必要になり、それらの作業に非常に手間かかかることになる。また、照明器具を取り外した後のパネルに配線用孔が残って美観を損なうことになるため、元の配線用孔を塞ぐ作業も必要になり、その作業にも手間がかかることになる。
【０００５】
一方、特許文献１には、基板の両面に印刷又はエッチングによりプリント配線して電路を形成し、電路の適宜な箇所にコネクタピンを挿入するピン挿入孔を形成し、このピン挿入孔内にコネクタピンを電気的に接続するように構成した発明が開示されており、このような技術を照明器具の天井部等への着脱に適用することも考えられる。
【特許文献１】特開昭５６−８６７７３号公報
【発明の開示】
【発明が解決しようとする課題】
【０００６】
しかし、特許文献１に開示されている技術では、コネクタピンを電路に電気的に接続する際にハンダ付け作業が必要になるとともに、照明器具を天井部等に支持するための機構が必要になるため、この技術をそのまま天井部等への照明器具の着脱に適用することはできない。
【０００７】
本発明は、上記のような従来の問題に鑑みなされたものであって、照明器具等の電気器具の着脱を容易に行うことができるとともに、照明器具等の電気器具を他の位置に移動させても美観を損なうようなことがない、電気器具取付け装置を提供することを目的とする。
【課題を解決するための手段】
【０００８】
上記のような課題を解決するために、本発明は、以下のような手段を採用している。
すなわち、請求項１に係る発明は、絶縁体からなる基板の両面に導電体からなる電極板を積層してなるとともに、複数箇所に取付け孔が貫通した状態で設けられ、かつ前記各電極板が電源に電気的に接続される取付け板と、電気器具が着脱自在に取り付けられる電気器具取付け部と、該電気器具取付け部に一体に設けられるとともに、前記取付け孔内に挿脱可能な１つ又は２つ以上のピン部と、該ピン部を前記取付け孔内に挿入された状態に固定する固定手段と、前記ピン部に設けられ、前記ピン部が前記取付け孔内に挿入された状態で前記電極板と電気的に接続されるとともに、取り付けられた前記電気器具の電源が電気的に接続される給電部とからなるコネクタとを備え、前記給電部に前記電気器具が電気的に接続されることを特徴とする。
【０００９】
本発明による電気器具取付け装置によれば、取付け板の取付け孔内にコネクタのピン部を挿入し、固定手段によりピン部を取付け孔内に固定することにより、ピン部の給電部が取付け板の電極板と電気的に接続される。そして、電気器具取付け部に取り付けられる電気器具をコネクタの給電部に電気的に接続することにより、電源から電極板及び給電部を介して電気器具に電力が供給され、電気器具が作動することになる。
この場合、コネクタのピン部を取付け板の取付け孔内に挿入し、固定手段によりピン部が取付け孔内に挿入された状態に固定することで、コネクタを介して電気器具を取付け板に取り付けることができるので、電気器具の取付け作業を容易にすることができる。
また、電気器具を他の位置に移動させる場合には、固定手段によるピン部の固定状態を解除してピン部を取付け孔から離脱させ、コネクタを取付け板から取り外し、この取り外したコネクタを取付け板の他の位置に移動させて、その位置でコネクタのピン部を取付け孔内に挿入し、固定手段によって取付け孔内にピン部を固定するだけでよいので、電気器具の移動を容易に行うことができる。さらに、電気器具を他の位置に移動させても、電気器具を取り除いた後の取付け孔が美観を損なうようなこともない。
【００１０】
請求項２に係る発明は、請求項１に記載の電気器具取付け装置であって、前記給電部は、前記ピン部の径方向に弾性変形可能に構成され、外力が作用しない状態では、その最外径が前記取付け孔の内径より大きく、前記ピン部が前記取付け孔内に挿入されると、内径側へ弾性変形することでその弾性力により前記電極板に前記取付け孔の内面から圧接されることを特徴とする。
【００１１】
本発明による電気器具取付け装置によれば、ピン部を取付け板の取付け孔内に挿入すると、給電部が内径方向へ弾性変形することで、その弾性力により給電部が電極板に取付け孔の内面から圧接され、給電部が電極板に電気的に接続されることになる。
【００１２】
請求項３に係る発明は、請求項１又は２に記載の電気器具取付け装置であって、前記固定手段は、前記ピン部及び前記電気器具取付け部を貫通して設けられる回転可能なロッドと、該ロッドと一体に回転することによって前記ピン部の上端面に重合した状態と、前記ピン部の外径側にせり出して前記取付け板の前記電極板の上面に係合する状態とを採り得る固定部と、該ロッドを回転させる操作部とを備えていることを特徴とする。
【００１３】
本発明による電気器具取り付け装置によれば、ピン部を取付け板の取付け孔内に挿入し、この状態で操作部を操作してロッドと一体に固定部を回転させて固定部を電極板の上部に係合させることで、ピン部を取付け孔内に固定でき、コネクタを取付け板に固定することができる。
一方、操作部を操作して、ロッドと一体に固定部を回転させて固定部を電極板の上部から離脱させることにより、ピン部が取付け孔から離脱可能な状態となり、コネクタを取付け板から取り外すことができることになる。
【００１４】
請求項４に係る発明は、請求項３に記載の電気器具取付け装置であって、前記固定部が前記電極板の上面に係合した状態に固定するロック手段を備えていることを特徴とする。
本発明による電気器具取付け装置によれば、ロック手段により固定部が電極板の上面に係合した状態に固定される。
一方、固定手段による固定状態を解除することにより、固定部を電極板の上部から離脱させることが可能となり、ピン部が取付け孔から離脱可能な状態となり、コネクタを取付け板から取り外すことができる。
【００１５】
請求項５に係る発明は、請求項１から４の何れかに記載の電気器具取付け装置であって、前記取付け板は、空間内の天井部、壁部、又は床部に設けられていることを特徴とする。
【００１６】
本発明による電気器具取付け装置によれば、取付け板を空間内の天井部、壁部、又は床部に設けることにより、照明器具、火災センサ等の各種の電気器具を天井部、壁部、又は床部の取付け板に着脱させることが可能となる。
【発明の効果】
【００１７】
以上、説明したように、本発明の電気器具取付け装置によれば、取付け板の取付け孔内にコネクタのピン部を挿入し、固定手段によりピン部を取付け孔内に固定することにより、コネクタを取付け板に固定することができ、コネクタを介して電気器具を取付け板に取り付けることができる。一方、固定手段によるピン部の固定状態を解除し、ピン部を取付け孔から離脱させることにより、コネクタを取付け板から取り外すことができ、コネクタに取り付けられる電気器具を取付け板から取り外すことができる。従って、電気器具の取付け板への着脱を容易に行うことができるので、電気器具を取付け板の他の位置に移動する場合に、新たな配線用孔を設けたり、配線用孔から配線を引き出したりする作業が不要となる。さらに、電気器具を取り外した後に取付け孔が残っても、その取付け孔の存在によって美観を損なうようこともない。
【発明を実施するための最良の形態】
【００１８】
以下、図面を参照しながら本発明の実施の形態について説明する。
図１〜図７に示すように、本実施形態の電気器具の取り付け装置は、取付け板２とコネクタ１０とを含んで構成されており、図１は取付け板２とコネクタ１０との関係を示す説明図、図２はコネクタ１０を取付け板２に取り付けた状態を示す断面図、図３はコネクタ部の配線部を示す断面図、図４及び図５は取付け板２にコネクタ１０を固定するための固定手段２５の全体を示す斜視図、図６及び図７はガイド部２１と固定手段２５の操作部２８との関係を示す斜視図及び平面図である。
【００１９】
すなわち、この電気器具取付け装置１は、空間内（例えば、建物、自動車等の空間内、本実施の形態においては建物とする。）の天井部、壁部等に照明器具、火災センサ等の電気器具を着脱自在に取り付けるとともに、この電気器具に電力を供給するのに有効なものであって、図１及び図２に示すように、建物の天井部、壁部等（本実施の形態では天井部）に設けられる取付け板２と、取付け板２に着脱自在に取り付けられるコネクタ１０と、コネクタ１０を取付け板２に固定する固定手段２５とを備え、コネクタ１０に電気器具３５が取り付けられるようになっている。
【００２０】
取付け板２は、図１に示すように、合成樹脂等の絶縁体からなる板状の基板３と、基板３の両面にそれぞれ一体に積層される銅等の導電体からなる板状の電極板４、５とからなる積層板であって、基板３と各電極板４、５とは接着剤等の接合手段によってそれぞれ一体に接合されている。
【００２１】
取付け板２には、両面間を貫通する取付け孔６が複数箇所に設けられ、各取付け孔６内に後述するコネクタ１０のピン部１５が挿脱可能に構成されている。取付け板２の両電極板４、５は配線７を介して電源８に接続され、電源８から両電極板４、５間に所定の直流あるいは交流の電圧が印加されるようになっている。
【００２２】
取付け板２は、天井部の全体に設けてもよいし、天井部の一部に設けてもよい。天井部の全体に設ける場合には、複数枚の取付け板２を組み合わせて天井部の全体を塞ぐようにしてもよい。その場合には、隣接する取付け板２の電極板４〜４、５〜５間を電気的に接合するか、あるいは各取付け板２の両電極板４、５をそれぞれ個別に配線７を介して電源８に接続すればよい。
【００２３】
コネクタ１０は、図１〜図３に示すように、照明器具等の電気器具３５が取り付けられる電気器具取付け部１１と、電気器具取付け部１１の上面に一体に立設された１つ又は２つ以上（本実施の形態では２つ）のピン部１５と、ピン部１５の両端部に設けられる給電部１７と、ピン部１５と電気器具取付け部１１との間に設けられる配線部１９とを備えている。
【００２４】
電気器具取付け部１１は、合成樹脂等の絶縁体から形成される例えば円板状をなすものであって、上記ピン部１５が取付け板２の各取付け孔６内に挿入された状態で取付け板２に取り付けられ、この電気器具取付け部１１の下部に照明器具等の電気器具３５がねじ等の取付け手段によって着脱自在に取り付けられるようになっている。
なお、電気器具取付け部１１は、円板状に限らず、他の形状に形成してもよい。要は、使用する電気器具３５の形状等に応じて適宜の形状に形成すればよい。
【００２５】
ピン部１５は、図２〜図５に示すように、合成樹脂等の絶縁体から形成される丸棒状をなすものであって、取付け板２の取付け孔６の内径よりも小径、かつ取付け孔６よりもやや長く形成され、このピン部１５の上下端部にそれぞれ給電部１７が一体に設けられている。
【００２６】
給電部１７は、銅等の弾性を有する導電体からなる湾曲板状の弾性導電部材１８を複数組み合わせて構成したものであって、各弾性導電部材１８は、ピン部１５の上下端部に設けられている環状の溝内にそれぞれ嵌合されている。この場合、各弾性導電部材１８は、その湾曲している部分の頂部がピン部１５の周面よりも外方に、その最外径が取付け孔６の内径よりも大きく、かつ、内径側へ弾性変形可能となるように構成されている。従って、ピン部１５を取付け孔６内に挿入したときに、給電部１７の各弾性導電部材１８が内径側へ弾性変形し、その弾性力により電極板４、５に取付け孔６の内面から強く圧接され、これにより、給電部１７の各弾性導電部材１８と電極板４、５とが電気的に確実に接続される。
【００２７】
なお、給電部１７は、上記の構造のものに限らず、電極板４、５に取付け孔６の内面から強く圧接されて、電極板４、５と確実に電気的に接続できる構造のものであればよく、例えば、圧縮ばねと導電部材とを組み合わせて、圧縮ばねの付勢力により導電部材を電極板４、５に取付け孔６の内面から圧接するようにしてもよい。
【００２８】
電気器具取付け部１１の下部の各ピン部１５に対応する部分には、図２、図３、図６、及び図７に示すように、円環状のガイド部２１がその中心を各ピン部１５の軸線に一致させた状態で一体に突設され、このガイド部２１の内側に後述する固定手段２５の操作部２８が回転自在に設けられている。ガイド部２１の内面には、所定の幅深さの係合溝２２が２箇所に設けられ、この係合溝２２内に後述する固定手段２５のロック手段３１が係合可能に構成されている。
【００２９】
コネクタ１０の各ピン部１５の中心から偏心した位置には、図３に示すように、各ピン部１５及び電気器具取付け部１１を軸線方向に貫通して下端がガイド部２１の中心に開口するロッド支持孔１６が設けられ、このロッド支持孔１６内を後述する固定手段２５のロッド２６が回転自在に挿通している。
【００３０】
コネクタ１０の各ピン部１５と電気器具取付け部１１との間には、図３に示すように、一端が上端側の給電部１７に電気的に接続され、他端が電気器具取付け部１１の下部に配置される端子１２に電気的に接続される配線２０と、一端が下端側の給電部１７に電気的に接続され、他端が電気器具取付け部１１の下部に配置される端子１２に電気的に接続される配線２０とからなる配線部１９が設けられ、この配線部１９の各配線２０の端子１２に電気器具取付け部１１に取り付けられる電気器具３５が電気的に接続されるようになっている。
【００３１】
固定手段２５は、図２〜図７に示すように、各ピン部１５及び電気器具取付け部１１を貫通するロッド支持孔１６内を挿通して、上下端が各ピン部１５及び電気器具取付け部１１から所定量突出する回転可能なロッド２６と、このロッド２６の各ピン部１５から突出している上端に一体に設けられる円板状の固定部２７と、このロッド２６の電気器具取付け部１１から突出している下端に一体に設けられるとともに、電気器具取付け部１１の下部のガイド部２１の内側に回転可能に設けられる操作部２８とを備え、操作部２８をガイド部２１内で回転させることにより、ロッド２６を介して固定部２７が回転するように構成されている。
【００３２】
固定部２７は、各ピン部１５の上端と略同一径の円板状に形成され、各ピン部１５の上端面と重合した状態で偏心した位置にロッド２６の上端が一体に連結され、操作部２８を回転させてロッド２６を回転させることによりロッド２６と一体に固定部２７が回転し、固定部２７が各ピン部１５の上端面に重合した位置と上端面から外径側にせり出した位置との間を移動するように構成されている。
【００３３】
操作部２８は、ガイド部２１の内径よりも小さい円板状の本体部２９と、本体部２９の上部に一体に設けられる板状の摘み部３０と、本体部２９の上部に一体に設けられるとともに、径方向内外へのばね力が付与されるロック手段３１とから構成され、本体部２９及び摘み部３０の偏心した位置にロッド２６の下端が一体に連結され、ロッド２６を中心として本体部２９及び摘み部３０が偏心回転するように構成されている。
【００３４】
ロック手段３１は、例えば、径方向内外へのばね力を付与した棒状のロックばね３２であって、このロックばね３２は、摘み部３０を介して本体部２９を偏心回転させてガイド部２１の内面の何れか一方の係合溝２２の位置に位置したときに、それ自身のばね力によって係合溝２２内に係合されるように構成されている。
但し、ロック手段３１の構成は、これに限らず、操作部２８を所定の向きにロックし得る構成であればよい。例えば、図８に示すように、ガイド部２１の内面に出没可能に設けられるボール３３と、このボール３３を付勢するばね３４と、操作部２８の周面に設けられてボール３３を係合させる係合溝２８ａとの組合せによって構成してもよい。
また、例えば、ロッド２６の回転方向の摩擦力が大きい等により操作部２８が回転することがない場合には、ロック手段３１を省略してもよい。
【００３５】
なお、操作部２８を、その本体部２９の中心がガイド部２１の中心と一致するようにガイド部２１の内側に配置し、この状態で本体部２９及び摘み部３０の中心部にロッド２６の下端を一体に連結するように構成してもよい。
【００３６】
次に、上記のように構成した本実施の形態による電気器具取付け装置１の作用について説明する。
まず、照明器具等の電気器具３５を天井部に取り付けるには、図１に示すように、コネクタ１０を天井部に予め設けられている取付け板２の所定の位置の下方に配置し、その位置で取付け孔２内に各ピン部１５を挿入し、各ピン部１５の各給電部１７の各弾性導電部材１８を各電極板４、５に取付け孔６の内面から圧接させ、各給電部１７の各弾性導電部材１８を各電極板４、５に電気的に接続する（図２の左側の状態）。そして、この状態で、操作部２８を回転させてロッド２６を介して固定部２７を回転させ、固定部２７を電極板４の上面に係合させる（図２の右側の状態）。そして、この状態でロックばね３１をガイド部２１の内面の係合溝２２内に係合させ、固定部２７を電極板４の上面に係合させた状態に固定する。
【００３７】
そして、電気器具取付け部１１にねじ等の取付け手段によって照明器具等の電気器具３５を取り付け、電気器具３５の電源を電気器具取付け部１１の下部の端子１２に電気的に接続する。
【００３８】
このようにして、天井部の取付け板２に照明器具等の電気器具３５を取り付けることができ、電源８から取付け板２の両電極板４、５間に電圧を印加することにより、各給電部１７から配線部１９及び端子１２を介して照明器具等の電気器具３５に電力が供給され、照明器具等の電気器具３５を作動させることができる。
【００３９】
次に、建物内のレイアウトの変更等によって電気器具３５を天井部の他の位置に移動させる場合には、コネクタ１０から電気器具３５を取り外し、この状態で各操作部２８のロックばね３１をガイド部２１の係合溝２２内から離脱させ、各操作部２８を回転させてロッド２６を介して固定部２７を回転させ、固定部２７を電極板４の上面から各ピン部１５の上端面と重合する位置に移動させる（図２の左側の状態）。そして、この状態で各ピン部１５を各取付け孔６から離脱させることによってコネクタ１０を取付け板２から取り外す。その後は上述した取り付け手順によってコネクタ１０を取付け板２に取り付ける。
【００４０】
以上、説明したように、本実施形態による電気器具取付け装置１にあっては、建物の天井部に設けた取付け板２の取付け孔６を利用してコネクタ１０を取付け板２に着脱させることにより、コネクタ１０を介して天井部の所定の位置に照明器具等の電気器具３５を着脱させることができるので、照明器具等の電気器具３５の天井部への着脱を容易に行うことができる。
【００４１】
また、天井部に取り付けた照明器具等の電気器具３５を他の位置に移動させる場合にも、他の位置の取付け孔６を利用してコネクタ１０を取付け板２に着脱させることにより、その位置にコネクタ１０を介して照明器具等の電気器具３５を着脱させることができることになる。
【００４２】
この場合、取付け板２の複数の取付け孔６によって意匠的な効果を醸し出しているので、照明器具等の電気器具３５を取り外した後の取付け孔６によって美観を損なうようなことはなく、また、取付け孔６を塞ぐ作業も不要となる。また、照明器具等の電気器具３５を移動させる位置に新たに配線用孔を設け、その配線用孔から天井裏の配線を引き出したりする作業も不要となるので、照明器具等の電気器具３５の移動に要する手間を大幅に削減することができる。
【００４３】
なお、前記の説明においては、電気器具３５として比較的重量のある照明器具等を例にとって説明したが、図９に示すように、例えば、ＬＥＤ３６を配置した照明器具のように軽量の照明器具等を電気器具３５とする場合には、電気器具３５を電気器具取付け部１１として、電気器具３５にピン部１５を一体に設け、ロッド２６を電気器具３５及びピン部１５を貫通させて、ロッド２６の上端に固定部２７を設け、ロッド２６の下端に操作部２８を設けるように構成すればよい。
【００４４】
なお、前記の説明においては、本実施の形態による電気器具取付け装置１を建物の天井部に適用した場合について説明したが、建物の壁部、床部等に照明器具や火災センサ等の電気器具を取り付ける場合に適用することもできる。
また、自動車等の天井部等に電気器具を取り付ける場合にも適用することができ、その他の各種の空間の天井部等に電気器具を取り付ける場合にも適用可能である。
さらに、例えば、各種の作業テーブルの天板などを上記実施形態の取付け板２の構成とし、電気器具を着脱可能な作業テーブルとしてもよい。
【図面の簡単な説明】
【００４５】
【図１】本発明による電気器具取付け装置の一実施形態を示した説明図であって、取付け板とコネクタとの関係を示した説明図である。
【図２】コネクタを取付け板に取り付けた状態を示した断面図であって、図中左側は固定手段によるピン部の固定前の状態、図中右側は固定手段によりピン部の固定後の状態を示した説明図である。
【図３】コネクタ部の配線部を示した断面図である。
【図４】固定手段を示した斜視図であって、ピン部の固定前の状態を示した斜視図である。
【図５】固定手段を示した斜視図であって、ピン部の固定後の状態を示した斜視図である。
【図６】ガイド部と固定手段の操作部との関係を示した斜視図である。
【図７】ガイド部と操作部との位置関係を示した平面図である。
【図８】ロック手段の変形例を示した拡大断面図である。
【図９】本発明による電気器具取付け装置の他の実施形態を示した説明図である。
【符号の説明】
【００４６】
１  電気器具取付け装置
２  取付け板                    ３  基板
４、５  電極板                  ６  取付け孔
７  配線                        ８  電源
１０  コネクタ                  １１  電気器具取付け部
１２  端子                      １５  ピン部
１６  ロッド支持孔              １７  給電部
１８  弾性導電部材              １９  配線部
２０  配線                      ２１  ガイド部
２２  係合溝                    ２５  固定手段
２６  ロッド                    ２７  固定部
２８  操作部                    ２８ａ  係合溝
２９  本体部                    ３０  摘み部
３１  ロック手段                ３２  ロックばね
３３  ボール                    ３４  ばね
３５  電気器具                  ３６  ＬＥＤ
【図１】
2008235018.tif 000003
【図２】
2008235018.tif 000004
【図３】
2008235018.tif 000005
【図４】
2008235018.tif 000006
【図５】
2008235018.tif 000007
【図６】
2008235018.tif 000008
【図７】
2008235018.tif 000009
【図８】
2008235018.tif 000010
【図９】
2008235018.tif 000011
【手続補正書】
【提出日】平成19年9月27日(2007.9.27)
【手続補正１】
【補正対象書類名】明細書
【補正対象項目名】０００５
【補正方法】変更
【補正の内容】
【０００５】
一方、特許文献１には、基板の両面に印刷又はエッチングによりプリント配線して電路を形成し、電路の適宜な箇所にコネクタピンを挿入するピン挿入孔を形成し、このピン挿入孔内にコネクタピンを電気的に接続するように構成した発明が開示されており、このような技術を照明器具の天井部等への着脱に適用することも考えられる。
【特許文献１】実開昭５６−８６７７３号公報